【手続補正書】
【提出日】平成26年10月31日(2014.10.31)
【手続補正１】
【補正対象書類名】特許請求の範囲
【補正対象項目名】全文
【補正方法】変更
【補正の内容】
【特許請求の範囲】
【請求項１】
ユーザの健康特性を感知するためのフロアマットであって、前記フロアマットは、
フロアマット制御器と、
フロア上に配置されるように構成される、マットと、
前記マット内に一体化された１組の健康センサと、を備え、前記１組の健康センサは、
前記ユーザの体温を感知するように構成される、１つ以上の温度センサであって、前記感知された体温に対応する温度データを、前記ユーザの前記体温の判定用にコンピュータワークステーションに送信するように前記フロアマット制御器は構成されたものである、１つ以上の温度センサと、
前記ユーザの身体の位置を感知するように構成される、１つ以上の身体の位置センサであって、前記感知された身体の位置に対応する身体の位置データを、前記ユーザの前記身体の位置の判定用に前記コンピュータワークステーションに送信するように前記フロアマット制御器は構成されたものである、１つ以上の身体の位置センサと、
前記ユーザの体脂肪を感知するように構成される、１つ以上の体脂肪センサであって、前記感知された体脂肪に対応する体脂肪データを、前記ユーザの前記体脂肪の判定用に前記コンピュータワークステーションに送信するように前記フロアマット制御器は構成されたものである、１つ以上の体脂肪センサと、を備える、フロアマット。
【請求項２】
前記１つ以上の温度センサは、前記ユーザの右足または左足のうちの少なくとも一方の温度が、前記ユーザの足のうちの少なくとも一方が前記フロアマットに接触している間に感知されるように、前記フロアマットの上部表面の右部分および前記フロアマットの前記上部表面の左部分のうちの少なくとも１つに配置される、１つ以上の温度変換器を備える、請求項１に記載のフロアマット。
【請求項３】
前記１つ以上の位置センサは、前記ユーザの右足または左足のうちの少なくとも一方の力が、前記ユーザの足のうちの少なくとも一方が前記フロアマットに接触している間に感知されるように、前記フロアマットの上部表面の右部分および前記フロアマットの前記上部表面の左部分のうちの少なくとも１つに配置される、１つ以上の力変換器を備える、請求項１または２のいずれかに記載のフロアマット。
【請求項４】
前記１つ以上の体脂肪センサは、前記従業員の右足および左足の間の体脂肪が、前記ユーザの右足および左足が前記フロアマットに接触している間に感知されるように、前記フロアマットの上部表面の右部分および前記フロアマットの前記上部表面の左部分に配置される、１つ以上の導電性接触部を備える、請求項１〜３のいずれかに記載のフロアマット。
【請求項５】
前記フロアマット制御器は、
健康データに対する要求を、前記コンピュータワークステーションから受信することと、
健康データに対する要求を、前記コンピュータワークステーションから受信することに応答して、
前記１つ以上の温度センサからは前記温度データを、前記１つ以上の身体の位置センサからは前記身体の位置データを、および前記１つ以上の体脂肪センサからは前記体脂肪データを収集することと、
前記温度データ、前記身体の位置データ、および前記体脂肪データに対応する健康データを、前記ユーザの前記体温、前記身体の位置、および前記体脂肪の判定用に前記コンピュータワークステーションに送信することと、を行うように構成される、請求項１〜４のいずれかに記載のフロアマット。
【請求項６】
従業員がワークステーションで作業している間に、前記従業員の健康を監視するためのシステムであって、前記ワークステーションは、フロアの上にフロアと並行に配置されるワークステーション表面、コンピュータワークステーション、および前記ワークステーション表面に隣接して前記フロア上に配置される椅子を含み、前記システムは、
前記コンピュータワークステーションと通信状態にあるフロアマットであって、前記従業員の右足および左足のうちの少なくとも一方が、前記従業員が前記椅子に着席している間に前記フロアマット上に配置されるように、前記椅子に隣接して前記フロア上に配置されるように構成される、平面マットを備えたフロアマットであり、前記フロアマットの上部表面は、前記従業員の健康のバイオメトリック特性およびバイオメカニカル特性を検出するための、前記フロアマットの上部表面と一体となった１組の健康センサを備えたものであり、前記１組の健康センサは、１つ以上の温度センサ、１つ以上の位置センサ、および１つ以上の体脂肪センサを備え、前記従業員の体温を示す前記温度センサのうちの１つ以上によって出力される温度データ、前記従業員の前記身体の位置を示す前記位置センサのうちの１つ以上によって出力される位置データ、および前記従業員の体脂肪を示す前記体脂肪センサのうちの１つ以上によって出力される体脂肪データから構成される、健康センサデータを出力するように構成されたものである、フロアマットと、
通信ネットワークと通信状態にあり、１人以上の従業員に関連する健康情報を記憶する、データベースと、
前記通信ネットワークと通信状態にあり、前記コンピュータワークステーションに、前記従業員への表示のために、前記従業員の健康プロファイル情報を供給するように構成される、コンピュータサーバと、を備え、前記コンピュータサーバは、１組のコンピュータ可読命令を記憶した非一過性コンピュータ可読記憶媒体、前記コンピュータサーバを前記通信ネットワークに接続する入力／出力（Ｉ／Ｏ）デバイスインターフェース、およびプロセッサを備え、前記１組のコンピュータ可読命令は、前記プロセッサによって実行可能であり、前記コンピュータサーバに、
前記通信ネットワークを介して、前記フロアマットの前記１組の健康センサによって出力される前記健康センサデータを収集すること、
収集された前記健康センサデータを使用して、前記従業員の更新された健康プロファイルを判定することであって、前記更新された健康プロファイルは、
収集された前記健康センサデータを使用して判定された、前記従業員の体温、体重、体脂肪、および身体の位置のうちの１つ以上を含む、前記従業員の健康特性と、
収集された前記健康センサデータを使用して判定された前記健康特性のうちの１つ以上に基づく、前記従業員のための健康計画と、を含むものである、健康プロファイルを判定すること、
前記データベースに記憶された前記健康情報を、前記従業員の前記更新された健康プロファイルを反映するように更新すること、
前記従業員への表示のために、前記コンピュータワークステーションを介して、前記従業員の前記更新された健康プロファイルを供給すること、の各ステップを行わせる、システム。
【請求項７】
前記通信ネットワークを介して、前記フロアマットの前記１組の健康センサによって出力される前記健康センサデータを収集することは、
前記健康センサデータを前記健康センサから収集する必要がある時点を指定する所定の試験スケジュールを使用して、健康試験を開始する必要性を識別することと、
前記健康センサデータを前記健康センサから収集する必要がある時点を指定する所定の試験スケジュールを使用して、健康試験を開始する必要性を識別することに応答して、前記コンピュータワークステーションに、前記健康試験に対応する前記健康センサデータについて問い合わせることであって、前記コンピュータワークステーションは、前記健康センサデータを前記フロアマットの前記１組の健康センサから収集するように構成されたものである、前記健康センサデータについて問い合わせることと、
前記コンピュータワークステーションから、前記通信ネットワークを介して、前記健康試験に対応する前記健康センサデータを受信することと、を含む、請求項６に記載のシステム。
【請求項８】
前記フロアマットは、
前記温度センサのうちの１つ以上によって出力される前記温度データ、前記身体の位置センサのうちの１つ以上によって出力される前記身体の位置データ、および前記体脂肪センサのうちの１つ以上によって出力される前記体脂肪データを受信することと、
前記コンピュータワークステーションに、受信された、前記受信された温度データ、身体の位置データ、および体脂肪データに対応する健康データを送信することと、を行うように構成される、フロアマット制御器を備え、
前記コンピュータワークステーションは、受信された前記健康データに対応する健康データを、前記コンピュータサーバに送信するように構成される、請求項６または７のいずれかに記載のシステム。
【請求項９】
前記フロアマット制御器は、前記コンピュータワークステーションに無線接続され、前記受信された温度データ、身体の位置データ、および体脂肪データに対応する受信された前記健康データは、前記フロアマット制御器から、前記コンピュータワークステーションに、前記無線接続を介して送信される、請求項６〜８のいずれかに記載のシステム。
【請求項１０】
前記１つ以上の温度センサは、前記従業員の右足または左足のうちの少なくとも一方の温度が、前記従業員が前記椅子に着席している間に感知されるように、前記フロアマットの前記上部表面の右部分および前記フロアマットの前記上部表面の左部分のうちの少なくとも１つに配置される、１つ以上の温度変換器を備える、請求項６〜９のいずれかに記載のシステム。
【請求項１１】
前記１つ以上の位置センサは、前記フロアマット上に置かれている前記従業員の右足または左足のうちの少なくとも一方の力が、前記従業員が前記椅子に着席している間に感知されるように、前記フロアマットの前記上部表面の右部分および前記フロアマットの前記上部表面の左部分のうちの少なくとも１つに配置される、１つ以上の力変換器を備える、請求項６〜１０のいずれかに記載のシステム。
【請求項１２】
前記１つ以上の体脂肪センサは、前記従業員の右足および左足の間の体脂肪が、前記従業員が前記椅子に着席している間に感知されるように、前記フロアマットの前記上部表面の右部分および前記フロアマットの前記上部表面の左部分に配置される、１つ以上の導電性接触部を備える、請求項６〜１１のいずれかに記載のシステム。
【請求項１３】
前記フロアマットは、前記ワークステーションの前記フロアに一体化される、請求項６〜１２のいずれかに記載のシステム。
【請求項１４】
従業員がワークステーションで作業している間に、前記従業員の健康を監視するのに使用するためのプログラム命令を含む、非一過性コンピュータ可読記憶媒体であって、前記ワークステーションは、フロアの上にフロアと並行に配置されるワークステーション表面、コンピュータワークステーション、および前記ワークステーション表面に隣接して前記フロア上に配置される椅子を含み、前記コンピュータプログラム命令は、コンピュータプロセッサによって実行可能であり、
前記コンピュータワークステーションを介して通信ネットワークに接続された、フロアマットと一体化された１組の健康センサを作動することであって、前記フロアマットは、前記従業員の右足および左足のうちの少なくとも一方が、前記従業員が前記椅子に着席している間に前記フロアマット上に配置されるように、前記椅子に隣接して前記フロア上に配置されるように構成される、平面マットを備えたものであり、前記フロアマットの上部表面は、前記従業員の健康のバイオメトリック特性およびバイオメカニカル特性を検出するための、前記フロアマットの上部表面と一体となった１組の健康センサを備えたものであり、前記１組の健康センサは、１つ以上の温度センサ、１つ以上の位置センサ、および１つ以上の体脂肪センサを備え、前記従業員の体温を示す前記温度センサのうちの１つ以上によって出力される温度データ、前記従業員の前記身体の位置を示す前記位置センサのうちの１つ以上によって出力される位置データ、および前記従業員の体脂肪を示す前記体脂肪センサのうちの１つ以上によって出力される体脂肪データから構成される、健康センサデータを出力するように構成されたものである、１組の健康センサを作動すること、
前記通信ネットワークを介して、前記フロアマットの前記１組の健康センサによって出力される前記健康センサデータを収集すること、
収集された前記健康センサデータを使用して、前記従業員の更新された健康プロファイルを判定することであって、前記更新された健康プロファイルは、
収集された前記健康センサデータを使用して判定された、前記従業員の体温、体重、体脂肪、および身体の位置のうちの１つ以上を含む、前記従業員の健康特性と、
収集された前記健康センサデータを使用して判定された前記健康特性のうちの１つ以上に基づく、前記従業員のための健康計画と、を含むものである、健康プロファイルを判定すること、
前記データベースに記憶された前記健康情報を、前記従業員の前記更新された健康プロファイルを反映するように更新すること、
前記従業員への表示のために、前記コンピュータワークステーションを介して、前記従業員の前記更新された健康プロファイルを供給すること、の各ステップをもたらす、非一過性コンピュータ可読記憶媒体。
【請求項１５】
前記通信ネットワークを介して、前記フロアマットの前記１組の健康センサによって出力される前記健康センサデータを収集することは、
前記健康センサデータを前記健康センサから収集する必要がある時点を指定する所定の試験スケジュールを使用して、健康試験を開始する必要性を識別することと、
前記健康センサデータを前記健康センサから収集する必要がある時点を指定する所定の試験スケジュールを使用して、健康試験を開始する必要性を識別することに応答して、前記コンピュータワークステーションに、前記健康試験に対応する前記健康センサデータについて問い合わせることであって、前記コンピュータワークステーションは、前記健康センサデータを前記フロアマットの前記１組の健康センサから収集するように構成されたものである、前記健康センサデータについて問い合わせることと、
前記コンピュータワークステーションから、前記通信ネットワークを介して、前記健康試験に対応する前記健康センサデータを受信することと、を含む、請求項１４に記載の非一過性コンピュータ可読記憶媒体。
【請求項１６】
前記フロアマットは、
前記温度センサのうちの１つ以上によって出力される前記温度データ、前記身体の位置センサのうちの１つ以上によって出力される前記身体の位置データ、および前記体脂肪センサのうちの１つ以上によって出力される前記体脂肪データを受信することと、
前記コンピュータワークステーションに、受信された、前記受信された温度データ、身体の位置データ、および体脂肪データに対応する健康データを送信することと、を行うように構成される、フロアマット制御器を備え、
前記コンピュータワークステーションは、受信された前記健康データに対応する健康データを、前記コンピュータサーバに送信するように構成される、請求項１４または１５のいずれかに記載の非一過性コンピュータ可読記憶媒体。
【請求項１７】
フロア上に配置されるように構成されるフロアマットおよび前記フロアマット内に一体化された１組の健康センサを使用して、ユーザの健康特性を感知するための、コンピュータにより実行される方法であって、前記１組の健康センサは、前記ユーザの体温を感知するように構成される１つ以上の温度センサ、前記ユーザの身体の位置を感知するように構成される１つ以上の身体の位置センサ、前記ユーザの体脂肪を感知するように構成される１つ以上の体脂肪センサを備え、前記コンピュータにより実行される方法は、
前記１つ以上の温度センサから、前記ユーザの感知された体温に対応する温度データを受信することと、
前記１つ以上の身体の位置センサから、前記ユーザの感知された身体の位置に対応する身体の位置データを受信することと、
前記１つ以上の体脂肪センサから、前記ユーザの感知された体脂肪に対応する体脂肪データを受信することと、
前記温度データ、前記身体の位置データ、および前記体脂肪データに対応する健康データを、前記ユーザの前記体温、前記身体の位置、および前記体脂肪の判定用に前記コンピュータワークステーションに送信することと、を含む、コンピュータにより実行される方法。
【請求項１８】
前記１つ以上の温度センサは、前記ユーザの右足または左足のうちの少なくとも一方の前記温度が、前記ユーザの足のうちの少なくとも一方が前記フロアマットに接触している間に感知されるように、前記フロアマットの上部表面の右部分および前記フロアマットの前記上部表面の左部分のうちの少なくとも１つに配置される、１つ以上の温度変換器を備える、請求項１７に記載のコンピュータにより実行される方法。
【請求項１９】
前記１つ以上の位置センサは、前記ユーザの右足または左足の前記力が、前記ユーザの足のうちの少なくとも一方が前記フロアマットに接触している間に感知されるように、前記フロアマットの上部表面の右部分および前記フロアマットの前記上部表面の左部分のうちの少なくとも１つに配置される、１つ以上の力変換器を備える、請求項１７または１８のいずれかに記載のコンピュータにより実行される方法。
【請求項２０】
前記１つ以上の体脂肪センサは、前記従業員の右足および左足の間の前記体脂肪が、前記ユーザの右足および左足が前記フロアマットに接触している間に感知されるように、前記フロアマットの上部表面の右部分および前記フロアマットの前記上部表面の左部分に配置される、１つ以上の導電性接触部を備える、請求項１７〜１９のいずれかに記載のコンピュータにより実行される方法。
【請求項２１】
健康データに対する要求を、前記コンピュータワークステーションから受信することと、
健康データに対する要求を、前記コンピュータワークステーションから受信することに応答して、
前記１つ以上の温度センサからは前記温度データを、前記１つ以上の身体の位置センサからは前記身体の位置データを、および前記１つ以上の体脂肪センサからは前記体脂肪データを収集することと、
前記温度データ、前記身体の位置データ、および前記体脂肪データに対応する健康データを、前記ユーザの前記体温、前記身体の位置、および前記体脂肪の判定用に前記コンピュータワークステーションに送信することと、をさらに含む、請求項１７〜２０のいずれかに記載のコンピュータにより実行される方法。
【請求項２２】
非一過性コンピュータ可読記憶媒体であって、請求項１７〜２１のいずれか一項に記載の方法をプロセッサが起動するように、コンピュータプロセッサによって実行可能な命令を含む非一過性コンピュータ可読記憶媒体。